(57)【要約】      （修正有）【課題】  受信機が受信チェックを行なう帯域内において受信感度より充分強力な電波が存在しても、受信チェック動作時の誤検出を防止し、確実に単独でその受信動作を確認、点検できる受信機及び受信チェック方法を提供する。【解決手段】  受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段を備えた受信機であって、前記制御手段は、前記受信周波数よりも高い周波数範囲と低い周波数範囲に受信帯域幅以下の周波数間隔で受信チェック用チャネルを備えて所要の周波数範囲の輻射電波の有無を検出し、前記アンテナ部と受信部の間にスイッチ部を備えて、受信動作チェック中は該スイッチ部により前記アンテナ部と受信部を切り離すように構成とする。【選択図】  図１
2005191753.tif 000002
【特許請求の範囲】
【請求項１】
受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機であって、
前記制御手段は、前記受信周波数よりも高い周波数範囲と低い周波数範囲に受信帯域幅以下の周波数間隔で受信チェック用チャネルを備えて所要の周波数範囲の輻射電波の有無を検出し、
前記アンテナ部と受信部の間にスイッチ部を備えて、受信動作チェック中は該スイッチ部により前記アンテナ部と受信部を切り離すように構成したことを特徴とする受信機。
【請求項２】
受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機の受信チェック方法であって、
前記制御手段により、前記受信周波数よりも高い周波数範囲と低い周波数範囲に受信帯域幅以下の周波数間隔で受信チェック用チャネルを検出し、所要の周波数範囲の輻射電波の有無を検出し、
前記アンテナ部と受信部の間に備えられたスイッチ部により、受信動作チェック中は前記アンテナ部と受信部を切り離すことにより受信機単体で受信チェックを行なうことを特徴とする受信機の受信チェック方法。
【発明の詳細な説明】
【技術分野】
【０００１】
本発明は、携帯無線機等の受信機（送信機能も有する無線機も含む。）に関し、更に詳しくは受信動作の点検、確認に好適な受信機及び受信チェック方法に関するものである。
【背景技術】
【０００２】
従来の一例である受信機及び受信チェック方法について図２〜４を参照して説明する。
図２は受信チェック方法に用いる受信チャネルと受信周波数を示す図である。
図３はクロック発振器を含む受信機の構成の一例を示すブロック図である。
図４は受信機に用いるクロック発信器の構成の一例を示す回路図である。
【０００３】
以下、この受信機の構成及び動作について図３を用いて説明する。
アンテナ１にて受信した高周波信号はフロントエンド３にて帯域制限及び増幅され第一ミクサ４へ入力される。
一方、クロック発振器１６からのクロック信号が入力されるとマイコン１５は第一局部発振器１４から出力される発振周波数を制御し、この発振信号は第一ミクサ４へ入力される。
即ちマイコン１５は第一局部発振器１４へ分周数のデータ信号を出力することにより、設定された発振周波数の発振信号が第一ミクサ４へ入力される。（高周波信号の周波数に応じて発振信号の発振周波数が決まる。）フロントエンド３からの高周波信号、第一局部発振器１４からの発振信号が第一ミクサ４に入力されることにより、高周波信号は周波数の低い所定の第一中間周波数に変換される。
第一ミクサ４にて第一中間周波数に変換された第一中間周波数信号は、帯域濾波器５にて帯域制限され第一中間周波増幅器６にて増幅され第二ミクサ７に入力される。
第二ミクサ７には第二局部発振器１３からの信号が入力され、第一中間周波数信号は更に周波数の低い第二中間周波数に変換される。変換された第二中間周波数信号は、帯域濾波器８にて帯域制限され第二中間周波増幅器９にて増幅された後、復調器１０にて復調される。
復調された音声帯域信号はベースバンド信号処理回路１１にて帯域制限の処理を施されスピーカ１２から出力される。
【０００４】
次に、受信機不要輻射について説明する。
受信機不要輻射とは不要に輻射されるクロック信号の高次成分のことであり、このクロック信号の高次成分はマイコン等によりクロック信号を波形整形、分周処理が行なわれたときに発生する。
図３の受信機もクロック信号の高次成分が不要に輻射されることがある。
この受信機で受信動作を行なわせるとき、クロック信号の高次成分は輻射されるとノイズとなることにより不要であるため輻射されないようにクロック信号周波数を設定する。
しかし、この受信機で受信動作をチェックするときにはクロック信号の高次成分が輻射されるようにクロック信号周波数を設定する。
なお、クロック信号周波数の設定については、後で説明する。
【０００５】
このクロック信号の高次成分はマイコン１５、ベースバンド信号処理回路１１に使用している素子、または素子に接続されている基板上のパターンから輻射される。
ここで、不要に輻射される成分に対し、無線機などの場合は「受信機不要輻射」等の規格により制限されるためシールド等の施策を施し規格を満足する。
「受信機不要輻射」の規格値は４０００μμＷ以下（−５４ｄＢｍ以下）である。
しかし、このクロック信号周波数の高次成分のレベルが規格を満足していても、受信機の受信感度は約−１２０ｄＢｍ程度であり、そのＤ／Ｕ比は６６ｄＢにもおよぶため特に携帯型等ではシールド等での減衰量だけでは受信感度に対して減衰しきれず、このクロック信号周波数の高次成分を受信してしまう。
そこで、受信動作をチェックするときは、クロック信号の高次成分が受信周波数帯域内となるように設定し、クロック信号の高次成分を受信したか否かにより行なう。
ノイズスケルチ２６が輻射されたクロック信号の高次成分を検出したとき、検出信号をマイコン１５へ出力する。マイコン１５は検出信号の有無に応じてクロック信号の高次成分を受信したか否かにより受信動作をチェックする。
これは、検出信号がマイコン１５に入力されたとき、クロック信号の高次成分を受信したと判断する。
【０００６】
次に、クロック信号周波数の設定について、図４を用いて説明する。クロック発振器１６は水晶振動子１７、コンデンサ１８〜２１、可変容量ダイオード２２、２３、抵抗２４、２５、マイコン１５からの制御信号線２７、２８から構成される。
可変容量ダイオード２２、２３にはそれぞれ抵抗２４、２５を介してマイコン１５からの制御信号が印可される。この制御信号のレベル（ＬレベルかＨレベルか）に応じて可変容量ダイオード２２、２３の電気容量が変化しクロック発振器１６から出力されるクロック信号の周波数が変化する。
受信動作をチェックする場合にクロック信号の高次成分が受信帯域内にすることが必要である。クロック信号の高次成分が受信帯域外となったとき、マイコン１５からの制御信号のレベルを変える（ＬレベルのときはＨレベルへ、ＨレベルのときはＬレベルへ変える。）ことにより、クロック信号の高次成分が受信帯域内となるようにする。
クロック信号の高次成分が受信帯域内に入るか否かを判別するためにマイコン１５に計算させることができる。
この計算よりクロック信号の高次成分が受信帯域内となる周波数のクロック信号が出力されるように制御信号のレベルをマイコン１５は設定する。
【０００７】
また、複数個のチャネル（受信周波数）を持つ受信機の場合、クロック信号の高次成分が受信帯域内にあるか否かを制御信号のレベルがＬレベルのときとＨレベルのとき両方で計算し、この計算結果に応じて各受信周波数毎に制御信号のレベル（ＬレベルにするかＨレベルにするか）を設定することもできる。
そして得られた受信周波数と制御信号のレベルとの関係について、データテーブルとしてマイコン１５に格納しておくことができる。
【０００８】
また、図４のクロック発振器ではマイコン１５からの制御信号のレベルはＬ、Ｈの２段階であるときについて説明したが、（２のｎ乗）段階に増やしてクロック信号周波数を（２のｎ乗）通りに変えることにより、クロック信号周波数を微調整し、必要最小限だけ変えるようにすることもできる（ただし、ｎ≧２）。
マイコン１５からの制御信号線の数をｎ本（ｎ≧２）にすると共に制御信号をＤ／Ａ変換することが必要である。アナログ信号に変換された制御信号は（２のｎ乗）段階のレベルがあるため、可変容量ダイオード２２、２３の電気容量及びクロック信号周波数を（２のｎ乗）通りに変えることができる。
【０００９】
上記の例は、クロック信号の高次成分が受信機の受信帯域内となるようにマイコン１５からの制御信号によりクロック発振器１６から出力するクロック信号の周波数を制御する場合について説明したが、シンセサイザ方式の受信機の場合クロック信号の高次成分が受信機の受信帯域内となるように受信周波数をマイコン１５により制御することも可能である。
【００１０】
次に、受信チェック方法の概略について、図２を用いて説明する。受信周波数ｆＲ、受信帯域幅Ｂ、クロック信号周波数ｆＣが下記（１）〜（３）式に示す値のときについて説明する。
【００１１】
受信周波数ｆＲ＝１５４.８２５０（ＭＨｚ） ・・・・・・（１）
受信帯域幅Ｂ＝１２（ｋＨｚ）       ・・・・・・（２）
（受信する電波の周波数ｆＲ−６（ｋＨｚ）〜ｆＲ＋６（ｋＨｚ））
クロック信号周波数ｆＣ＝３.６８６４（ＭＨｚ）    ・・・・・・（３）
【００１２】
クロック信号の高次成分の１つであるクロック信号の４２倍波成分ｆ４２が下記（４）、（５）式に示すように受信周波数ｆＲに対して＋３.８ｋＨｚとなり受信帯域内に存在するため、一見するとクロック信号の４２倍波成分ｆ４２を受信するか否かをノイズスケルチ２６が検出することにより単体で受信チェックを行なうことができるようにみえる。
【００１３】
ｆ４２＝ｆＣ×４２＝３.６８６４（ＭＨｚ）×４２
＝１５４.８２８８（ＭＨｚ）
＝１５４.８２５０（ＭＨｚ）＋０.００３８（ＭＨｚ）
＝ｆＲ＋３．８（ｋＨｚ）     ・・・・・・（４）
ｆＲ−６（ｋＨｚ）＝１５４.８２５０（ＭＨｚ）−０.００６（ＭＨｚ）
＝１５４.８１９０（ＭＨｚ）
ｆＲ＋６（ｋＨｚ）＝１５４.８２５０（ＭＨｚ）＋０.００６（ＭＨｚ）
＝１５４.８３１０（ＭＨｚ）
∴ｆＲ−６（ｋＨｚ）≦ｆ４２≦ｆＲ＋６（ｋＨｚ） ・・・・・・（５）
【００１４】
しかし、水晶振動子１７の周波数偏差が例えば±１００（ｐｐｍ）であるとき、クロック周波数は、下記（６）、（７）式により１５４.８１３３〜１５４.８４４３（ＭＨｚ）となり、受信機の受信帯域内（１５４.８１９０〜１５４.８３１０（ＭＨｚ））に存在しない場合がある。
【００１５】
周波数偏差が＋１００（ｐｐｍ）のとき：
ｆ４２＝ｆＣ×４２×（１＋１００／１００００００）
＝１５４.８４４３（ＭＨｚ）  ・・・・・・（６）
周波数偏差が−１００（ｐｐｍ）のとき：
ｆ４２＝ｆＣ×４２×（１−１００／１００００００）
＝１５４.８１３３（ＭＨｚ）  ・・・・・・（７）
【００１６】
そこで、受信周波数ｆＲ＝１５４.８２５０（ＭＨｚ）を中心としてこの受信周波数の前後に受信帯域幅Ｂ＝１２（ｋＨｚ）よりも小さい周波数間隔で、例えば１０（ｋＨｚ）の周波数間隔で受信チェック用チャネルをマイコン１５に４個設ける。
受信周波数ｆＲよりも周波数の高い受信チェック用チャネルは２個とし、この受信チェック用チャネルの周波数は１５４.８３５０（ＭＨｚ）、１５４.８４５０（ＭＨｚ）とする。
一方、受信周波数ｆＲよりも周波数の低い受信チェック用チャネルは２個とし、この受信チェック用チャネルの周波数は１５４.８０５０（ＭＨｚ）、１５４.８１５０（ＭＨｚ）とする。受信周波数ｆＲよりも高い周波数の受信チェック用チャネルを２個、受信周波数ｆＲよりも低い周波数の受信チェック用チャネルを２個設けることにより、１５４.８１３３〜１５４.８４４３（ＭＨｚ）の周波数範囲でクロック信号の４２倍波成分ｆ４２を受信することができる。
そして、受信周波数ｆＲ＝１５４.８２５０（ＭＨｚ）の受信チャネルを例えばｐ０チャネル、周波数１５４.８０５０（ＭＨｚ）、１５４.８１５０（ＭＨｚ）、１５４.８３５０（ＭＨｚ）、１５４.８４５０（ＭＨｚ）の受信チェック用チャネルを例えばそれぞれｑ２チャネル、ｑ１チャネル、ｐ１チャネル、ｐ２チャネルとする。
そして受信チャネル及び各々の受信チェック用チャネルで、クロック信号の４２倍波成分ｆ４２を受信するか否かをチェックする。例えばｐ０チャネル、ｐ１チャネル、ｑ１チャネル、ｐ２チャネル、ｑ２チャネルの順番でチャネル（受信チャネル及び各々の受信チェック用チャネル）を変えてクロック信号の４２倍波成分ｆ４２を受信するか否かをチェックする。このチェックにより、クロック信号の４２倍波成分ｆ４２が受信帯域内にないときでも確実に受信することができる。
クロック信号の４２倍波成分ｆ４２を受信したとき、復調器１０からの復調信号成分の一部を利用したノイズスケルチ２６によりクロック信号の４２倍波成分ｆ４２が検出される。
そして、ノイズスケルチ２６は検出信号をマイコン１５へ出力し、マイコン１５は検出信号の有無によりクロック信号の４２倍波成分ｆ４２を受信するか否かを判別する。
この判別により受信機全体の各ブロックが正常に動作しているか、即ち受信できるか否かをチェックすることができる。
もし受信できなかったとき、受信機に異常があるのでユーザに修理を促すように例えばアラーム表示やアラーム音により報知する。
【００１７】
従来の受信機及び受信チェック方法に関する技術として例えば特許文献１〜特許文献２がある。
【００１８】
【特許文献１】特開２００２−６４４４２号公報
【特許文献２】特開２００１−１６８７５３号公報
【発明の開示】
【発明が解決しようとする課題】
【００１９】
上述したような構成及び動作を制御された受信機において、例えばフロントエンド３と第一ミクサ４の各ブロックを接続するコンデンサ等が破損したような異常が発生した場合を想定する。
部品が破損したことによる各ブロック間の減衰量は約３０〜４０ｄＢ程度であり、その分受信感度が劣化する。そのため、クロック信号の高次成分を受信することができず、受信機は異常発生を検出する。
しかし、受信機が受信チェックを行なう帯域において受信感度より充分強力な電波（受信感度より、断線したことによる減衰量分以上高いレベルの電波）が存在した場合、アンテナ１はその電波を受信しフロントエンド３に入力することにより、結果的にその電波を受信してしまう。
すなわちアンテナ１が常に受信機のフロントエンド３に接続されているため、受信機が受信チェックを行なう帯域において受信感度より充分強力な電波が存在した場合、受信機に異常があっても、異常を検出することができない場合がある。
【００２０】
以上のように、従来のクロック発振器を含み単独でその受信動作を確認、点検ができる受信機では、アンテナ１は常に受信機のフロントエンド３に接続されている。
そのため、受信機が受信チェックを行なう帯域内において受信感度より充分強力な電波が存在した場合、例えばフロントエンド３と第一ミクサ４間が断線しているような異常があっても、異常を検出することができない場合がある。
この場合、異常があるにも関わらず異常を検出できない場合があるという重大な問題が発生する。
この問題により、特に相手局との通信を確実に行なうことが必要不可欠である職種で用いる受信機、例えば災害救助活動のように人命救助に係わる職種で用いる携帯無線機では、より確実に通信が確立させる必要が生じる。
【００２１】
本発明は上記従来技術に鑑み、このような問題を解決するためになされたもので、その目的は受信機が受信チェックを行なう帯域内において受信感度より充分強力な電波が存在しても、受信チェック動作時の誤検出を防止し、確実に単独でその受信動作を確認、点検できる受信機及び受信チェック方法を提供することにある。
【課題を解決するための手段】
【００２２】
上記従来の問題点を解決するための本発明は、受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機であって、前記制御手段は、前記受信周波数よりも高い周波数範囲と低い周波数範囲に受信帯域幅以下の周波数間隔で受信チェック用チャネルを備えて所要の周波数範囲の輻射電波の有無を検出し、前記アンテナ部と受信部の間にスイッチ部を備えて、受信動作チェック中は該スイッチ部により前記アンテナ部と受信部を切り離すように構成したことを特徴とする。
【００２３】
また、上記従来の問題点を解決するため本発明は、受信信号の入力部であるアンテナ部と、受信部と、該受信部の後段に設けられ受信信号を所要値に変換して出力する周波数変換手段と、前記受信周波数を設定し前記周波数変換手段の動作を制御する制御手段と、クロック信号を出力し前記制御手段を動作せしめるクロック発振器と、前記周波数変換手段の後段に設けられ前記クロック信号の高次成分周波数の輻射電波の有無を検出する検出手段を備えた受信機の受信チェック方法であって、前記制御手段により、前記受信周波数よりも高い周波数範囲と低い周波数範囲に受信帯域幅以下の周波数間隔で受信チェック用チャネルを検出し、所要の周波数範囲の輻射電波の有無を検出し、前記アンテナ部と受信部の間に備えられたスイッチ部により、受信動作チェック中は前記アンテナ部と受信部を切り離すことにより受信機単体で受信チェックを行なうことを特徴とする。
【発明の効果】
【００２４】
本発明によれば、測定器や通信の相手方及び特別な追加回路ブロックを必要とせず、かつ受信チェックを行なう帯域内における受信感度より充分強力な電波による誤検出を防止し、確実に単独でその受信動作を確認、点検できる受信機及び受信チェック方法を提供することができる。
【発明を実施するための最良の形態】
【００２５】
本発明の実施の形態について図面を参照しながら説明する。
図１は本発明によるクロック発振器を含み、かつアンテナ切替スイッチを具備することにより受信チェックを行なう帯域内において受信感度より充分強力な電波が存在しても確実に単独でその受信動作を確認、点検できる受信機の構成の一例を示すブロック図である。
図１に示すブロック図において、通常の受信状態における受信動作及びクロック発振器の制御方法については従来の例と同様であるので説明を省略する。
【００２６】
以下、単独でその受信動作を確認、点検するときのアンテナ切替スイッチの制御動作について詳細に説明する。
通常の受信状態においてスイッチ部２は、マイコン１５からの制御信号により接続状態となり、アンテナ１にて受信した高周波信号がスイッチ部２を介してフロントエンド３へ入力される。
一方、受信動作をチェックするとき、マイコン１５からの制御信号によりスイッチ部２が開放状態となるように制御する。
すなわち、受信動作チェック中はアンテナ１とフロントエンド３を切り離し、アンテナ１にて受信した高周波信号がフロントエンド３へ入力されないようにスイッチ部２を制御する。
スイッチ部２が開放状態となることで、アンテナ１からフロントエンド３間の減衰量は約４０〜５０ｄＢが得られ、受信チェックを行なう帯域内において受信感度より充分強力な電波が存在しても、その高周波信号はアンテナ１からフロントエンド３間の減衰量分だけ減衰される。
よって、受信チェックを行なう帯域内における受信感度より充分強力な電波の影響をアンテナ１からフロントエンド３間の減衰量分である約４０〜５０ｄＢ分軽減することができるのは明白である。
【００２７】
ここで、クロック信号の高次成分はマイコン等によりクロック信号を波形整形、分周処理が行なわれたときに発生し、マイコン等の素子、または素子に接続される基板上のパターンから輻射されること、及びそのレベルが受信感度に対して高いレベルであることは先に説明した。
すなわち、受信動作チェック中にアンテナ１とフロントエンド３がスイッチ部２により切り離されている場合でも輻射されたクロック信号の高次成分はフロントエンド３に直接輻射され受信動作チェックが正常に行われることになる。
但し、クロック信号の高次成分の輻射レベルが受信感度に対して高くない場合には、クロック信号の高次成分が輻射される基板上のパターンとフロントエンド３を疎結合させることで、受信動作チェックを正常に行なわせることができる。
したがって、クロック発信機による高次成分周波数による輻射を利用し、アンテナと受信部の間にスイッチを設けることで、受信機単体にて受信動作チェックを行うことができる。
【００２８】
上記の実施の形態によると、アンテナ１をフロントエンド３から切り離すスイッチ部２にて構成したが、送信機能を有する無線機などの場合では、該スイッチ部２は受信状態ではアンテナ１を受信フロントエンド３へ、また送信状態ではアンテナ１を送信電力を出力する電力増幅器に切替接続するアンテナスイッチ部で構成されるので、受信動作をチェックするときに該アンテナスイッチ部のみを送信状態である電力増幅器側に切り替えることでアンテナ１をフロントエンド３から切り離すことができ、受信チェックを行なう帯域内における受信感度より充分強力な電波による誤検出を防止し、確実に単独でその受信動作を確認、点検できる受信機及び受信チェック方法を提供することができる。
【００２９】
以上詳述したように本発明によると、受信チェックを行なう帯域内における受信感度より充分強力な電波の影響を軽減し、確実にクロック信号の高次成分により受信機の動作を確認、点検できるように、受信動作を確認、点検するときにアンテナを受信機から切り離すことにより確実に受信機単独でその受信動作を確認、点検できるようにしたものである。
従って本発明によれば、受信チェックを行なう帯域内において受信感度より充分強力な電波が存在しても確実に単独でその受信動作を確認、点検できる受信機及び受信チェック方法を提供することができる。
【００３０】
したがって本発明によれば、受信機の受信動作を確認、点検ができる受信機では、アンテナは常に受信機のフロントエンドに接続されているため、受信機が受信チェックを行なう帯域内において受信感度より充分強力な電波が存在した場合、異常を検出することができない場合があり、異常があるにも関わらず異常を検出できない場合があるという重大な問題があり、そこで、受信機が受信チェックを行なう帯域内において受信感度より充分強力な電波が存在しても、受信チェック動作時の誤検出を防止し、確実に単独でその受信動作を確認、点検できる受信機及び受信チェック方法を提供することができ、例えば災害救助活動のように人命救助に係わる職種で用いる携帯無線機では、より確実に通信を確立させることができる。
【図面の簡単な説明】
【００３１】
【図１】本発明による単独でその受信動作を確認、点検できる受信機の一例を示すブロック図。
【図２】従来の単独でその受信動作を確認、点検できる受信機の確認、点検時の一動作例を示す図。
【図３】従来のクロック発振器を含み、単独でその受信動作を確認、点検できる受信機の一例を示すブロック図。
【図４】従来のクロック発振器部分の一実施例を示す図。
【符号の説明】
【００３２】
１：アンテナ                ２：スイッチ部
３：フロントエンド          ４：第一ミクサ
５：帯域濾波器                     ６：第一中間周波増幅器
７：第二ミクサ                     ８：帯域濾波器
９：第二中間周波増幅器      10：復調器
11：ベースバンド信号処理回路       12：スピーカ
13：第二局部発振器          14：第一局部発振器
15：マイコン                16：クロック発振器
17：水晶振動子                     18、19、20、21：コンデンサ
22、23：可変容量ダイオード  24、25：抵抗
26：ノイズスケルチ
【図２】
2005191753.tif 000003
【図１】
2005191753.tif 000004
【図３】
2005191753.tif 000005
【図４】
2005191753.tif 000006